(57)【要約】【課題】ディフェクト領域への突入及びディフェクト領域からの脱出の応答速度を速くすること。【解決手段】光ディスクのディフェクトを検出するディフェクト検出回路であって、光ディスクから読み取られたＲＦ信号を復号処理し、前記ＲＦ信号のステート情報を生成する復号処理部と、前記ステート情報に基づいて、前記ＲＦ信号を抽出し、エンベローブ信号を生成するエンベローブ信号生成回路と、前記エンベローブ信号に基づいて、ディフェクト領域か否かを判定し、制御信号を出力するディフェクト判定部と、を備えたディフェクト検出回路である。【選択図】図１
2010055671.tif 000002
【特許請求の範囲】
【請求項１】
光ディスクのディフェクトを検出するディフェクト検出回路であって、
光ディスクから読み取られたＲＦ信号を復号処理し、前記ＲＦ信号のステート情報を生成する復号処理部と、
前記ステート情報に基づいて、前記ＲＦ信号を抽出し、エンベローブ信号を生成するエンベローブ信号生成回路と、
前記エンベローブ信号に基づいて、ディフェクト領域か否かを判定し、制御信号を出力するディフェクト判定部と、を備えたディフェクト検出回路。
【請求項２】
前記復号処理がＰＲＭＬ処理であることを特徴とする請求項１に記載のディフェクト検出回路。
【請求項３】
前記ディフェクト判定部は、前記エンベローブ信号の時間に対する変化量に基づいて、ディフェクト領域か否かを判定することを特徴とする請求項１又は２に記載のディフェクト検出回路。
【請求項４】
前記エンベローブ信号生成回路は、トップエンベローブ信号とボトムエンベローブ信号とを生成し、
前記ディフェクト判定部は、前記トップエンベローブ信号とボトムエンベローブ信号との差の時間に対する変化量に基づいて、ディフェクト領域か否かを判定することを特徴とする請求項３に記載のディフェクト検出回路。
【請求項５】
光ディスクから読み取られたＲＦ信号を復号処理し、前記ＲＦ信号のステート情報を生成する復号処理部と、
前記ステート情報に基づいて、前記ＲＦ信号を抽出し、エンベローブ信号を生成するエンベローブ信号生成回路と、
前記エンベローブ信号に基づいて、ディフェクト領域か否かを判定し、制御信号を出力するディフェクト判定部と、を備えた光ディスク装置。
【請求項６】
前記復号処理がＰＲＭＬ処理であることを特徴とする請求項５に記載の光ディスク装置。
【請求項７】
前記ディフェクト判定部は、前記エンベローブ信号の時間に対する変化量に基づいて、ディフェクト領域か否かを判定することを特徴とする請求項５又は６に記載の光ディスク装置。
【請求項８】
前記エンベローブ信号生成回路は、トップエンベローブ信号とボトムエンベローブ信号とを生成し、
前記ディフェクト判定部は、前記トップエンベローブ信号とボトムエンベローブ信号との差の時間に対する変化量に基づいて、ディフェクト領域か否かを判定することを特徴とする請求項７に記載の光ディスク装置。
【請求項９】
光ディスクから読み取られたＲＦ信号を復号処理して前記ＲＦ信号のステート情報を生成し、
前記ステート情報に基づいて、前記ＲＦ信号を抽出してエンベローブ信号を生成し、
前記エンベローブ信号に基づいて、ディフェクト領域か否かを判定するディフェクト検出方法。
【請求項１０】
前記復号処理がＰＲＭＬ処理であることを特徴とする請求項９に記載のディフェクト検出方法。
【請求項１１】
前記エンベローブ信号の時間に対する変化量に基づいて、ディフェクト領域か否かを判定することを特徴とする請求項９又は１０に記載のディフェクト検出方法。
【請求項１２】
前記エンベローブ信号は、トップエンベローブ信号とボトムエンベローブ信号とを有し、当該トップエンベローブ信号とボトムエンベローブ信号との差の時間に対する変化量に基づいて、ディフェクト領域か否かを判定することを特徴とする請求項１１に記載のディフェクト検出方法。
【発明の詳細な説明】
【技術分野】
【０００１】
本発明は光ディスクのディフェクト検出回路、これを備えた光ディスク装置及びディフェクト検出方法に関する。
【背景技術】
【０００２】
近年、情報の記憶媒体としてＣＤ（Compact Disc）、ＤＶＤ（Digital Versatile Disk）、ＢＤ（Blu-ray Disc）などの光ディスクが多く用いられている。光ディスクの回転は、サーボ制御により制御される。また、光ディスクに対する情報の読み出し・書き込みを行うためのピックアップの位置もサーボ制御により制御される。このサーボ制御により、光ディスク装置は、情報の読み出し・書き込みを安定して行うことができる。しかし、光ディスクには、ディスク面に付着した指紋などの汚れや傷などによる欠陥領域が存在する。このような欠陥領域では、光ディスクから適切な反射光が得られず、サーボ制御が不安定になる。そのため、データの読み出し・書き込みに不具合を生じる可能性がある。
【０００３】
そこで、ピックアップが欠陥領域上を通過する場合、サーボ制御を欠陥領域直前の状態で固定する。このようなサーボ制御では、欠陥領域を検出する必要がある。特許文献１には、光ディスクの欠陥領域を検出するためのディフェクト検出回路が開示されている。
【０００４】
特許文献１に開示されている光ディスク装置１のブロック図を図４に示す。図４に示すように光ディスク装置１は、光ディスク回転モータ１０、ピックアップ２０、サーボ制御回路３０、ＡＧＣ（Automatic Gain Control）回路４０、ディフェクト検出回路５０を有している。
【０００５】
光ディスク回転モータ１０は、光ディスクを回転させるモータである。ピックアップ２０は、光ディスクへのレーザー光の出力、及び、光ディスクからの反射光の光量に応じた振幅を有するＲＦ（Radio Frequency）入力信号Ｘの生成を行う。サーボ制御回路３０は、ＲＦ入力信号Ｘの状態に応じて回転モータ１０の回転速度とピックアップ２０の位置を制御する制御信号を出力する。また、サーボ制御回路３０は、ディフェクト検出回路５０が出力するホールドイネーブル信号に基づき増幅率を固定する。
【０００６】
ＡＧＣ回路４０は、振幅が変動するＲＦ入力信号Ｘを略一定の振幅の信号に増幅して、内部回路（不図示）にＡＧＣ出力信号Ｚとして出力する。内部回路では、ＡＧＣ出力信号Ｚに基づいて信号の処理が行われる。また、ＡＧＣ回路４０は、ディフェクト検出回路５０が出力するホールドイネーブル信号に基づき増幅率を固定する。
【０００７】
ディフェクト検出回路５０は、ピークホールド検波回路５１、傾き検出回路５２、比較回路５３、比較電圧制御回路５４を有し、ＲＦ入力信号Ｘの振幅に基づきディフェクト領域を検出する。
【０００８】
ピークホールド検波回路５１は、ＲＦ入力信号Ｘのピークレベルの変動に応じて信号レベルが変動するエンベロープ信号を生成する。傾き検出回路５２は、エンベロープ信号の信号レベルの変化率に基づきエンベロープ信号の傾きを検出し、傾き検出信号を出力する。比較回路５３は、傾き検出信号と基準電圧によって指定される所定の範囲とを比較し、ディフェクト検出信号Ｙを出力する。比較電圧制御回路５４は、ＲＦ入力信号Ｘと振幅基準値Ｖｒｅｆとを比較し、この比較結果に基づいて比較電圧Ｖｃｏｍｐを比較回路５３に供給する。
欠陥領域では、正常な領域よりも信号の振幅が小さくなり、欠陥領域への突入時及び欠陥領域からの脱出時にエンベロープ信号の傾きが大きくなる。そのため、上記構成により、欠陥領域を検出することができる。
【特許文献１】特開２００８−０４７１６４号公報
【発明の開示】
【発明が解決しようとする課題】
【０００９】
ところで、光ディスクに記録されているマーク／スペースの時間長さはチャネルクロックの周期Ｔの整数倍の長さを有する。ここで、スペースとは、トラックにおいてマークが形成されていない部分を言う。このマーク／スペースの最短の長さは、例えばＤＶＤでは３Ｔである。ここで、３Ｔ〜５Ｔの短いマーク及びスペースに対応するＲＦ信号の振幅はその長さとともに徐々に大きくなり、６Ｔ以上のマーク及びスペースに対応するＲＦ信号の振幅は一定値となる。
【００１０】
そのため、ピークホールド回路５１では、３〜５Ｔのマーク／スペースを欠陥として検出しないように、ＲＦ信号のピークホールドを行うための検波回路の時定数を、ある程度大きく設定する必要がある。他方、時定数が大きいほど、傾き検出回路５２で生成される微分信号（ＲＦエンペロープ信号の傾き）は小さくなる。そのため、ディフェクト領域への突入及びディフェクト領域からの脱出の応答速度が遅くなるという問題があった。
【課題を解決するための手段】
【００１１】
本発明の一態様は、
光ディスクのディフェクトを検出するディフェクト検出回路であって、
光ディスクから読み取られたＲＦ信号を復号処理し、前記ＲＦ信号のステート情報を生成する復号処理部と、
前記ステート情報に基づいて、前記ＲＦ信号を抽出し、エンベローブ信号を生成するエンベローブ信号生成回路と、
前記エンベローブ信号に基づいて、ディフェクト領域か否かを判定し、制御信号を出力するディフェクト判定部と、を備えたディフェクト検出回路である。
【００１２】
本発明の他の一態様は、
光ディスクから読み取られたＲＦ信号を復号処理し、前記ＲＦ信号のステート情報を生成する復号処理部と、
前記ステート情報に基づいて、前記ＲＦ信号を抽出し、エンベローブ信号を生成するエンベローブ信号生成回路と、
前記エンベローブ信号に基づいて、ディフェクト領域か否かを判定し、制御信号を出力するディフェクト判定部と、を備えた光ディスク装置である。
【００１３】
本発明の他の一態様は、
光ディスクから読み取られたＲＦ信号を復号処理して前記ＲＦ信号のステート情報を生成し、
前記ステート情報に基づいて、前記ＲＦ信号を抽出してエンベローブ信号を生成し、
前記エンベローブ信号に基づいて、ディフェクト領域か否かを判定するディフェクト検出方法である。
【発明の効果】
【００１４】
本発明に係るディフェクト検出回路により、ディフェクト領域への突入及びディフェクト領域からの脱出の応答速度が速くなる。
【発明を実施するための最良の形態】
【００１５】
実施の形態１
以下、図面を参照して本発明の実施の形態について説明する。実施の形態１に係る光ディスク装置は、レーザー光を用いて光ディスク（例えば、ＣＤ、ＤＶＤ、ＢＤなど）から情報の再生及び記録を行うものである。再生は、レーザー光を記録面に照射し、その反射光の光量の変化を検出することにより行う。
【００１６】
実施の形態１に係る光ディスク装置のブロック図を図１に示す。図１に示すように、実施の形態１に係る光ディスク装置は、光ディスク回転モータ１１０、ピックアップ１２０、サーボ制御回路１３０、ＡＧＣ回路１４０、ディフェクト検出回路１５０、ＰＲＭＬ（Partial Response Maximum Likelihood）処理回路１６０を有している。
【００１７】
光ディスク回転モータ１１０は、光ディスクを回転させるモータであって、サーボ制御回路１３０から入力される制御信号に基づき、光ディスクの回転速度を制御する。ピックアップ１２０は、光ディスクへのレーザー光の出力、及び、光ディスクからの反射光の光量に応じた振幅を有するＲＦ入力信号Ｘの生成を行う。ピックアップ１２０は、例えばサーボモータによって光ディスク表面に沿って移動可能である。ピックアップ１２０の位置制御を行うサーボモータは、サーボ制御回路１３０によって制御される。
【００１８】
サーボ制御回路１３０は、ＲＦ入力信号Ｘに応じて光ディスクの回転速度とピックアップの位置を制御する制御信号を出力する。また、サーボ制御回路１３０は、ディフェクト検出回路１５０が出力するホールドイネーブル信号に基づき増幅率を固定する。
【００１９】
光ディスク装置では、情報記録又は光ディスクからの情報再生を行う際に、トラッキングサーボ制御、フォーカスサーボ制御、スピンドルサーボ制御、スレッドサーボ制御が行われる。
トラッキングサーボ制御は、光ディスクからの反射光を用いて光スポット中心と光ディスクのグルーブ中心との位置ずれを検出し、この位置ずれを補正するようピックアップの位置を制御する。これにより、光ディスク上のグルーブの中心に光スポットの中心を維持する。
フォーカスサーボ制御は、光ディスクからの反射光を用いてレーザー光を集光する対物レンズの焦点位置のずれを検出し、この焦点ずれを補正するようピックアップの位置を制御する。これによって、光ディスクの上下ぶれに追随して、レーザー光を集光する対物レンズの焦点位置を光ディスクの面上に維持する。
スピンドルサーボ制御は、再生ＲＦ信号のデータレート、ウォブル周波数を一定とするように光ディスク回転モータの回転速度を制御する。
スレッドサーボ制御は、トラッキングのＤＣ成分に追従するようにピックアップの傾きを制御することで長距離シークを可能にする。
【００２０】
ＡＧＣ回路１４０は、振幅が変動するＲＦ入力信号Ｘを略一定の振幅の信号に増幅して、ＰＲＭＬ処理回路１６０にＡＧＣ出力信号Ｚとして出力する。なお、ＲＦ入力信号Ｘの振幅の変動は、例えばレーザー光の光量の揺らぎや光ディスク表面の指紋や傷等のディフェクト（欠陥）により発生する。また、ＡＧＣ回路１４０は、ディフェクト検出回路１５０が出力するホールドイネーブル信号に基づき増幅率を固定する。
【００２１】
ＰＲＭＬ処理回路１６０では、ＡＧＣ出力信号Ｚに基づいて信号のＰＲＭＬ処理すなわち復号処理が行われる。
【００２２】
ディフェクト検出回路１５０は、ＲＦ入力信号Ｘの振幅に基づきディフェクト領域を検出する。このディフェクト検出回路１５０について、詳細に説明する。ディフェクト検出回路１５０は、ＲＦ信号レベル抽出回路１５１、傾き検出回路１５２、比較回路１５３、比較電圧制御回路１５４、減算器１５５、ステート判定回路１５６を有している。
【００２３】
ステート判定回路１５６は、ＰＲＭＬ処理回路１６０で行ったＰＲＭＬ処理において遷移するステートのうち、特定のステートの連続回数を判定する。例えば、ＤＶＤでＰＲ（１２２１）を用いた場合、ボトムレベルを示すステートＳ０（０００）の連続回数あるいはトップレベルを示すステートＳ５（１１１）の連続回数を判定する。これから、６Ｔ以上のマーク（トップレベル）／スペース（ボトムレベル）を抽出することができる。
【００２４】
ＲＦ信号レベル抽出回路１５１は、ステート判定回路１５６での判定結果に基づき、所定の連続回数で保護を掛けた特定ステートにおけるＲＦ入力信号Ｘのみを抽出し、ＲＦ入力信号Ｘの極大値を結んだトップ・エンベロープ信号及びＲＦ入力信号Ｘの極小値を結んだボトム・エンベロープ信号を生成する。ＰＲ（１２２１）の場合、所定の連続回数で保護を掛けたステートＳ０（０００）でのＲＦ入力信号Ｘを抽出してボトム・エンベロープ信号を生成する。また、連続回数で保護を掛けたステートＳ５（１１１）でのＲＦ入力信号Ｘを抽出してトップ・エンベロープ信号を生成する。
【００２５】
本実施の形態では、トップ・エンベロープ信号及びボトム・エンベロープ信号の両者を生成している。そのため、暗欠陥領域及び明欠陥領域のいずれについても精度良く検出することができ、好ましい。ここで、いずれか一方のエンベロープ信号のみから欠陥領域を検出してもよい。その場合、減算器１５５は不要となる。
【００２６】
減算器１５５は、ピーク・エンベロープ信号とボトム・エンベロープ信号との差を求め振幅・エンベロープ信号を出力する。
傾き検出回路１５２は、減算器１５５が生成した振幅・エンベロープ信号を微分し、微分値（振幅・エンベロープ信号の変化率）からエンベロープ信号の傾きを検出し、傾き検出信号を出力する。例えば、エンベロープ信号の信号レベルに変化がない場合、傾き検出信号は所定の信号レベルを維持する。一方、エンベロープ信号の信号レベルが変動した場合、エンベロープ信号の変化率に応じて傾き検出信号の信号レベルを変動させる。傾き検出信号の信号レベルの変動は、エンベロープ信号の変化率が大きいほど大きなものとなる。なお、本実施の形態では、振幅・エンベロープ信号から傾き検出信号を生成しているが、トップ・エンベロープ信号、ボトム・エンベロープ信号のそれぞれから傾き検出信号を生成してもよい。
【００２７】
比較回路１５３は、傾き検出信号と基準電圧Ｖｃｏｍｐによって指定される所定の範囲とを比較し、ディフェクト検出信号Ｙを出力する。例えば、傾き検出回路１５２がエンベロープ信号の信号レベルの降下（負の変化率）を検出し、その変化率に応じて変動した傾き検出信号の信号レベルが所定の範囲を外れた場合、ディフェクト信号の信号レベルはロウレベルからハイレベルに変化する。一方、傾き検出回路１５２がエンベロープ信号の信号レベルの上昇（正の変化率）を検出し、その変化率に応じて変動した傾き検出信号の信号レベルが所定の範囲を外れた場合、ディフェクト信号の信号レベルはハイレベルからロウレベルに変化する。
【００２８】
なお、所定の範囲は、例えばエンベロープ信号に傾き０の場合の傾き検出信号の信号レベルを中心として上下に上限値と下限値を設けたものである。この上限値及び下限値は、ディフェクトによって発生するＲＦ入力信号Ｘの振幅変化を検出可能であって、レーザー光の揺らぎによって発生するＲＦ入力信号Ｘの振幅変化には反応しない程度に設定することが好ましい。この所定の範囲を設定する比較電圧Ｖｃｏｍｐは、比較電圧制御回路１５４によって生成される。
【００２９】
比較電圧制御回路１５４は、減算器１５５が生成した振幅・エンベロープ信号と振幅基準値とを比較し、この比較結果に基づいて基準電圧Ｖｒｅｆを係数倍した比較電圧Ｖｃｏｍｐを比較回路１５３に供給する。なお、係数は、任意に設定することができる。また、係数は、振幅・エンベロープ信号と振幅基準値との比較結果に基づいて変化させても良い。比較電圧制御回路１５４の動作についてより詳細に説明する。比較電圧制御回路１５４は、振幅・エンベロープ信号が振幅基準値よりも小さいと判断した場合、基準電圧Ｖｒｅｆに掛ける係数を小さくする。これによって、比較電圧Ｖｃｏｍｐの電圧レベルは小さくなる。一方、振幅・エンベロープ信号が振幅基準値よりも大きいと判断した場合、基準電圧Ｖｒｅｆに掛ける係数を小さくする。これによって、比較電圧Ｖｃｏｍｐの電圧レベルは大きくなる。
【００３０】
このように、振幅・エンベロープ信号に応じて比較電圧Ｖｃｏｍｐの電圧レベルを変更することで、振幅・エンベロープ信号が小さくなったことにより傾きが小さくなったディフェクトを検出することが可能となる。一方、振幅・エンベロープ信号が大きい場合には、振幅レベルが大きくなったことによって大きくなった傾きに応じてディフェクト領域を選択的に検出することが可能である。
【００３１】
なお、基準電圧Ｖｒｅｆは、振幅・エンベロープ信号が任意に設定された振幅レベルである場合にディフェクト領域を選択的に検出できる電圧レベルとして、予め設定される。また、振幅基準値は、基準電圧Ｖｒｅｆの設定時に使用した振幅レベルに相当する値を予め設定する。この基準電圧Ｖｒｅｆと振幅基準値とは、任意に値を設定することが可能であり、前述の設定方法は一例を示すものである。
【００３２】
このディフェクト検出信号Ｙは、サーボ制御回路１３０とＡＧＣ回路１４０とにホールドイネーブル信号として入力される。サーボ制御回路１３０及びＡＧＣ回路１４０は、例えばホールドイネーブル信号がハイレベルである期間は、それ以前の制御状態及び増幅率を維持する。一方、ホールドイネーブル信号がロウレベルである期間では、サーボ制御回路１３０は、光ディスクからの情報の再生が安定するように各種制御を行い、ＡＧＣ回路１４０はＲＦ入力信号Ｘの振幅に応じて増幅率を変更する。
【００３３】
次に、ディフェクト検出回路１５０の動作の一例を示すタイミングチャートを図２に示し、この図を参照してディフェクト検出回路１５０の動作を説明する。ＲＦ信号レベル抽出回路１５１は、ＲＦ入力信号Ｘが入力されると、ステート判定回路１５６が生成したステート情報に応じて、トップ・エンベロープ信号及びボトム・エンベロープ信号を生成する。続いて、減算器１５５は、両エンベロープ信号から振幅・エンベローブ信号を生成する。振幅・エンベローブ信号の傾きに応じて、傾き検出回路１５２が傾き検出信号を生成する。そして、傾き検出信号の信号レベルが所定の範囲以上になった場合に、比較回路１５３がディフェクト検出信号Ｙの信号レベルを変化させる。なお、図２に示す例では、所定の範囲は、上限値Ｖｔｈ＿Ｈと下限値Ｖｔｈ＿Ｌとの間の範囲である。
【００３４】
図２に示す例では、ピックアップがディフェクト領域の上部に達するタイミングｔ３でＲＦ入力信号Ｘの振幅が小さくなる。このとき、エンベロープ信号の信号レベルは、このＲＦ入力信号Ｘの信号レベルの変化に応じて低下する。このエンベロープ信号の変化率は負であるため、傾き検出信号の信号レベルは低下する。また、タイミングｔ３における傾き検出信号の信号レベルは、所定の範囲の下限値Ｖｔｈ＿Ｌを下回る。これによって、ディフェクト検出信号Ｙはロウレベルからハイレベルに変化する。
【００３５】
また、タイミングｔ４でピックアップがディフェクト領域の上部を脱出すると、ＲＦ入力信号Ｘの振幅が大きくなる。このとき、エンベロープ信号の信号レベルは、このＲＦ入力信号Ｘの信号レベルの変化に応じて上昇する。このエンベロープ信号の変化率は正であるため、傾き検出信号の信号レベルは上昇する。また、タイミングｔ４における傾き検出信号の信号レベルは、所定の範囲の上限値Ｖｔｈ＿Ｈを上回る。これによって、ディフェクト検出信号Ｙはハイレベルからロウレベルに変化する。
【００３６】
一方、タイミングｔ１〜ｔ２及びタイミングｔ５〜ｔ６においても、ＲＦ入力信号Ｘの振幅が小さくなる。この期間におけるＲＦ入力信号Ｘの振幅変化は、例えばレーザー光の揺らぎ等によるものであって、タイミングｔ３〜ｔ４における振幅の低下に比べて小さい。従って、エンベロープ信号の信号レベルの低下及び傾き検出信号の信号レベルの変動は、タイミングｔ３〜ｔ４の期間に比べて小さい。このとき、傾き検出信号の信号レベルの変動は、所定の範囲内に十分収まるものである。そのため、ディフェクト検出信号Ｙの信号レベルは変化しない。
【００３７】
次に、図３を用いて本発明の効果について説明する。実線で記載された曲線が実施の形態１に係る信号曲線であり、破線で記載された曲線が特許文献１に記載された構成での信号曲線である。
【００３８】
特許文献１に記載のピークホールド検波回路では、例えばＤＶＤにおける３〜５Ｔのマーク／スペースを欠陥として検出しないように、ＲＦ信号のピークホールドを行うための検波回路の時定数（例えば、ローパスフィルターにおけるＲＣ時定数）を、ある程度大きく設定する必要があった。そのため、図３に破線で示すように、生成されるトップ／ボトム・エンベロープ信号及び振幅・エンベローブ信号の変動は、実際のＲＦ入力信号Ｘの振幅変動よりも緩やかであった。そのため、ディフェクト領域への突入及びディフェクト領域からの脱出の応答速度が遅くなっている。
【００３９】
一方、実施の形態１に係るディフェクト検出回路１５０では、ＲＦ信号レベル抽出回路１５１が、ＲＦ入力信号のうち、ステート判定回路１５６で判定された特定ステートにおけるＲＦ入力信号Ｘのみを抽出する。そして、ＲＦ入力信号Ｘの極大値を結んだトップ・エンベロープ信号及びＲＦ入力信号Ｘの極小値を結んだボトム・エンベロープ信号を生成する。すなわち、ピークホールド検波回路が不要であって、時定数を設ける必要がない。
【００４０】
そのため、図３に実線で示すように、生成されるトップ／ボトム・エンベロープ信号及び振幅・エンベロープ信号の変動が、実際のＲＦ入力信号Ｘの振幅変動に近づく。従って、傾き検出信号の変化も急峻になり、ディフェクト検出信号Ｙの切り替わり、すなわち、ディフェクト領域への突入及びディフェクト領域からの脱出の応答速度も速くなっている。これにより、欠陥領域がある場合に、より良好なサーボ制御を実現することができる。実施の形態１に係る構成では、ボトム・エンベロープ信号を生成するための時定数の設定が不要であるが、もちろん、従来よりも小さい時定数を設定してもよい。
【００４１】
また、特許文献１に記載のピークホールド検波回路では、上記時定数を最適化するための回路が必要となる。さらに、最適な時定数は再生ビットレートにより異なるから、再生ビットレートに応じた最適な時定数を設定するための回路も必要となる。従って、特許文献１に記載のピークホールド検波回路は回路規模が大きくなりやすい。一方、本発明では、ＰＲＭＬ処理によるステート情報を有効利用するため、特許文献１に比べ、回路規模を極めて小さくすることができる。
【００４２】
さらに、特許文献１に記載の構成では、トップ・エンベロープ信号とボトム・エンベロープ信号とから振幅・エンベロープ信号を生成するためには、上記の理由から回路規模が大型化する。一方、本発明では、ＰＲＭＬ処理によるステート情報を有効利用するため、回路規模それほど大型化せずに容易に振幅・エンベロープ信号を生成することができる。これにより、トップ・エンベロープ信号とボトム・エンベロープ信号のいずれか一方から傾きを検出するよりも、ディフェクト領域への突入及びディフェクト領域からの脱出の応答速度を速くすることができる。その上、暗欠陥領域及び明欠陥領域のいずれについても精度良く検出することができる。
【図面の簡単な説明】
【００４３】
【図１】実施の形態１に係る光ディスク装置のブロック図である。
【図２】実施の形態１に係るディフェクト検出回路の動作を示すタイミングチャートである。
【図３】実施の形態１及び比較例のディフェクトの検出結果の関係を示す図である。
【図４】特許文献１の図１である。
【符号の説明】
【００４４】
１１０  光ディスク回転モータ
１２０  ピックアップ
１３０  サーボ制御回路
１４０  ＡＧＣ回路
１５０  ディフェクト検出回路
１５１  ＲＦ信号レベル抽出回路
１５２  傾き検出回路
１５３  比較回路
１５４  比較電圧制御回路
１５５  減算器
１５６  ステート判定回路
１６０  ＰＲＭＬ処理回路
Ｖｃｏｍｐ  比較電圧
Ｖｒｅｆ  基準電圧
Ｘ  ＲＦ入力信号
Ｙ  ディフェクト検出信号
Ｚ  ＡＧＣ出力信号
【図１】
2010055671.tif 000003
【図２】
2010055671.tif 000004
【図３】
2010055671.tif 000005
【図４】
2010055671.tif 000006